【手続補正書】
【提出日】平成20年6月25日(2008.6.25)
【手続補正１】
【補正対象書類名】特許請求の範囲
【補正対象項目名】全文
【補正方法】変更
【補正の内容】
【特許請求の範囲】
【請求項１】
電子道路地図と課金エリアとを格納する地図情報格納部と、車両の現在位置を検出する位置検出装置と、前記電子道路地図を表示する表示装置と、目的地を設定する入力装置と、前記位置検出装置により検出された現在位置から前記入力装置により設定された目的地へ至る経路を算出し前記表示装置に表示する制御装置とを有するナビゲーション装置であって、
前記制御装置は、前記入力装置により設定された目的地が前記地図情報格納部に記憶された課金エリア内に位置していると判断したとき、前記課金エリア外に位置し、かつ、前記目的地まで移動可能な公共交通機関の近傍に位置する駐車場を前記表示装置に表示することを特徴とするナビゲーション装置。
【請求項２】
前記制御装置は、前記経路上に位置する課金エリアへの前記車両の進入予想時刻が非課金時間帯であるとき、前記経路上に位置する課金エリアを課金エリアと判断せず前記目的地までの経路を算出することを特徴とする請求項１に記載のナビゲーション装置。
【請求項３】
前記制御装置は、前記目的地が前記課金エリア内に位置していると判断されたとき、前記目的地とは別の目的地を前記入力装置から選択可能とすることを特徴とする請求項１に記載のナビゲーション装置。
【請求項４】
前記制御装置は、前記目的地周辺の課金エリア外にある駐車場の空車情報を受信し、受信結果に応じて空車がある駐車場を表示することを特徴とする請求項１に記載のナビゲーション装置。
【請求項５】
前記制御装置は、前記表示装置に表示された複数の目的地候補から前記入力装置により目的地を選択して設定する際、課金エリア外の目的地候補のみを選択可能とすることを特徴とする請求項１に記載のナビゲーション装置。
【手続補正２】
【補正対象書類名】明細書
【補正対象項目名】全文
【補正方法】変更
【補正の内容】
【発明の詳細な説明】
【発明の名称】ナビゲーション装置
【技術分野】
【０００１】
本発明は、電子道路地図上に車両の現在位置を表示すると共に目的地を設定して現在位置から経路案内を行うことができるナビゲーション装置に関する。
【背景技術】
【０００２】
近年、車両の交通量を抑制し混雑解消や環境改善を図るためロードプライシングシステムの導入が考えられている。ロードプライシングシステムとは、交通量を減らしたいエリアに進入する車両に対し、時間、車種などに応じて課金することでそのエリアに進入する車両数を減少させようとするシステムである（そのようなエリアを課金エリアと呼ぶ）。例えば、課金エリアの入り口に端末を設置し、車両が通過する際、その車両に搭載された車載ユニットに差し込まれたキャッシュカードから料金を自動的に徴収するシステム等が提案されている（例えば特許文献１参照）。
【特許文献１】特開２００４−３２６２６３号公報
【発明の開示】
【発明が解決しようとする課題】
【０００３】
しかしながら、このようなロードプライシングシステムでは、課金エリアの入り口の表示に気づかずに課金エリアに進入し、ユーザが気づかない料金の徴収や違反罰金が課されてしまう恐れがあった。また、特定地域の車両進入量を削減するというロードプライシングの目的を遂行するのが難しくなってしまう恐れがあった。
【０００４】
そこで、本発明は上記従来の問題点を解決するためのものであり、ユーザが課金エリアを容易に且つ確実に認識することを可能とするナビゲーション装置を提供することを目的とする。
【課題を解決するための手段】
【０００５】
上記課題を解決するために、本発明のナビゲーション装置は、電子道路地図と課金エリアとを格納する地図情報格納部と、車両の現在位置を検出する位置検出装置と、前記電子道路地図を表示する表示装置と、目的地を設定する入力装置と、前記位置検出装置により検出された現在位置から前記入力装置により設定された目的地へ至る経路を算出し前記表示装置に表示する制御装置とを有する装置であって、前記制御装置は、前記入力装置により設定された目的地が前記地図情報格納部に記憶された課金エリア内に位置していると判断したとき、前記課金エリア外に位置し、かつ、前記目的地まで移動可能な公共交通機関の近傍に位置する駐車場を前記表示装置に表示するものである。
【発明の効果】
【０００６】
本発明のナビゲーション装置は、地図情報格納部が課金エリア及び／又は課金料金を含むロードプライシング情報を有し、制御装置により、ロードプライシング情報を表示装置に表示する構成としたので、ユーザは表示された課金エリア及び／又は課金料金から容易且つ確実に課金エリアを認識して、必要であればその課金エリアを回避するなどの適切な行動を取ることができる。
【０００７】
また本発明のナビゲーション装置は、課金エリア及び／又は課金料金を含むロードプライシング情報を車両外のロードプライシング情報サーバから取得する通信装置を有し、制御装置により、ロードプライシング情報を表示装置に表示し得る構成としたので、ユーザは表示された課金エリア及び／又は課金料金から容易且つ確実に課金エリアを認識して、必要であればその課金エリアを回避するなどの適切な行動を取ることができる。また、車両外のロードプライシング情報サーバからロードプライシング情報を取得するので、常に新しい課金料金や課金エリアの情報を取得してナビゲーション装置に表示することができる。
【０００８】
また、ロードプライシング情報を格納するロードプライシング情報格納部を設けることで、ロードプライシング情報サーバから取得したロードプライシング情報をロードプライシング情報格納部に蓄積し使用することができる。また新しいロードプライシング情報をロードプライシング情報サーバから簡単に取得してロードプライシング情報格納部に格納されたロードプライシング情報を更新することができ、常に新しい情報に維持しておくことができる。
【０００９】
また、制御装置が、車両の進行方向に課金エリアがあるか否かを判断する第１の課金エリア判断手段を有し、車両の進行方向に課金エリアがあるとき、表示装置及び／又は音声通知手段を用いて課金エリアがあることをユーザに通知することにより、ユーザは車両の進行方向にある課金エリアを事前に認識することができ、課金エリアに誤って進入してしまうことを防止することができる。
【００１０】
また、車両の課金エリアへの進入予想時刻が非課金時間帯であるとき、表示装置及び／又は音声通知手段による課金エリアの通知を行わないことにより、進入しても課金されない課金エリアを不要に回避するのを防止することができる。
【００１１】
また、制御装置が、設定された目的地への経路案内を行う際に、算出した経路上に課金エリアが位置しているか否かを判断する第２の課金エリア判断手段を有し、算出した経路上に課金エリアが位置していると判断されたとき、課金エリアの存在を表示装置及び／又は音声通知手段によりユーザに通知するものとすると、ユーザは目的地までの経路上に位置する課金エリアを容易に認識することができ、課金エリアに気づかずに進入してしまうことを防止することができる。
【００１２】
また、制御装置が、第２の課金エリア判断手段で算出した経路上に課金エリアが位置していると判断されたとき、課金エリアを回避する経路を案内するか否かを入力装置から選択可能とするものとすると、ユーザの要望に合わせた経路の設定をすることができる。
【００１３】
また、制御装置が、経路上に位置する課金エリアへの車両の進入予想時刻が非課金時間帯であるとき、経路上に位置する課金エリアを課金エリアと判断せず目的地までの経路を算出することとすると、進入しても課金されない課金エリアを不要に回避するのを防止することができる。
【００１４】
また、制御装置が、目的地が課金エリア内に位置していると判断されたとき、その目的地とは別の目的地を入力装置から選択可能とするものとすると、ユーザは目的地を課金エリア外に変更することができるので、課金エリアへの車両の進入を減少させることができる。
【００１５】
また、制御装置が、目的地が課金エリア内に位置していると判断されたとき、課金エリア外に位置し目的地まで公共交通機関を用いて移動可能な駐車場前記目的地とは別の目的地として表示手段に表示すると共に入力装置から選択可能とするものとすると、課金エリア外の駐車場に駐車しバスなどの公共交通機関を利用して課金エリア内の目的地に向かうことをユーザに促すことができ、課金エリアに進入する車両の数を減少させることができる。
【００１６】
また、制御装置が、通信装置を介して目的地周辺の課金エリア外にある駐車場の空車情報を受信し、受信結果に応じて空車がある駐車場を経路案内する構成とするものとすると、空車のある駐車場に確実に案内することができ、空車のない駐車場を経路案内することを防止することができる。
【００１７】
また、制御装置が、課金エリア内に使用者の自宅登録があるとき、その課金エリアを非課金エリアとすると、不要な課金エリアの案内をしてユーザに誤解を与えるのを防止できる。
【００１８】
また、制御装置が、表示装置に表示された複数の目的地候補から入力装置により目的地を選択して設定する際、課金エリア外の目的地候補のみを選択可能とすると、ユーザが課金エリア内の目的地を選択するのを防止し、課金エリア内への車両の進入を減少させることができる。
【発明を実施するための最良の形態】
【００１９】
以下、本発明の実施の形態を、図面を参照しながら説明する。
【００２０】
図１は、本発明に基づくナビゲーション装置の実施の形態を示すブロック図である。図示されているように、このナビゲーション装置１００は、ＧＰＳセンサ１０１と、ジャイロセンサ１０２と、車速センサ１０３と、地図情報格納部１０５と、表示装置１０６と、音声案内装置１１０と、入力装置１０７と、ナビゲーション装置１００の作動にかかわるソフトウェアなどを格納するメモリ１０８と、メモリ１０８に格納されたソフトウェアに基づきナビゲーション装置１００の各部を制御する制御装置１０９とで構成されている。
【００２１】
ＧＰＳセンサ１０１及びジャイロセンサ１０２は、自車位置を検出するために用いるものである。車速センサ１０３は、自車両の速度を検出するためのものである。地図情報格納部１０５はハードディスクやＤＶＤ−ＲＯＭ等の記録媒体からなり、電子データ化された道路地図である電子道路地図情報を格納している。この道路地図には、交差点情報や道路料金や道幅等の道路の詳細情報が格納されている。表示装置１０６は地図情報格納部１０５に保存された電子道路地図情報と共に自車位置を表示するためのもので、例えば液晶表示装置からなる。音声案内装置１１０は経路案内を音声によって行うためのものであり、スピーカを内蔵している。入力装置１０７は、ユーザからの指示やデータの入力を可能とするためのもので、例えば表示装置１０６の表示画面に設けられたタッチパネルからなる。タッチパネルの他にキーパッド、リモコンなどからなるものとすることもできる。
【００２２】
制御装置１０９は、ＧＰＳセンサ１０１やジャイロセンサ１０２から得られる車両の現在位置に基づき、地図情報格納部１０５から電子道路地図情報を読み出して車両の現在位置と共に表示装置１０６に表示させる。また、入力装置１０７から目的地が入力された場合には、車両の現在位置から目的地までの経路を算出し、それに対応する経路案内を表示装置１０６上に表示すると共に、音声案内装置１１０を用いて音及び／又は音声によってユーザに経路案内を行う。
【００２３】
本発明の実施の形態によると、地図情報格納部１０５内に設定されたロードプライシング情報格納部１２０に、地図情報に関連させてロードプライシング情報が格納されている。ロードプライシング情報には、課金エリアの範囲、料金等が含まれる。またロードプライシング情報は、各課金エリアの課金時間帯（時刻に応じた課金設定や、祝祭日などの課金免除期間の情報を含む）、料金を払った後課金が免除される時間や出入りの回数（即ち料金を払った後課金エリアへの出入りが自由になる時間または課金エリアに自由に出入りできる回数）などの様々な属性を含むこともできる。
【００２４】
制御装置１０９は、ロードプライシング情報格納部１２０に格納されたロードプライシング情報に基づき課金エリア及び／または課金料金を表示装置１０６に表示する。また制御装置１０９は、ロードプライシング情報に基づいて車両の進行方向に課金エリアがあるか否かを判断する第１の課金エリア判断手段１０９ａ、目的地への経路案内を行う際に算出された経路上に課金エリアが位置しているか否かを判断する第２の課金エリア判断手段１０９ｂ、及び入力された目的地が課金エリア内に位置しているか否かを判断する第３の課金エリア判断手段１０９ｃを有する。後に詳述するように、制御装置１０９はこれら判断手段１０９ａ〜１０９ｃの判断結果に基づいて課金エリアへの進入の警告、経路設定、目的地設定などを行う。
【００２５】
図２は、本発明に基づくナビゲーション装置の別の実施の形態を示すブロック図である。本図において図１と同様の箇所には同じ符号を付して詳しい説明を省略する。このナビゲーション装置１００ａでは、最新のロードプライシング情報を格納している外部のロードプライシング情報サーバ１５０からインターネット等を介してロードプライシング情報を取得するための通信装置１１１が制御装置１０９に接続されており、ロードプライシング情報を格納するためのロードプライシング情報格納部１２０を設けていない。通信装置１１１は、ビーコン、衛星無線、ＦＭ放送無線などを媒体とする任意の公知の無線通信手段からなるものであって良く、電子道路地図情報の更新情報、リアルタイムの交通情報等を獲得するのに兼用することもできる。制御装置１０９は、通信装置１１１を介して適宜必要なロードプライシング情報をロードプライシング情報サーバ１５０から取得し表示装置１０６に表示する。
【００２６】
図２のナビゲーション装置１００ａは、図２において破線で示すように、ロードプライシング情報を格納するロードプライシング情報格納部１２０を有する構成とすることもできる。その場合、ロードプライシング情報サーバ１５０から取得したロードプライシング情報をロードプライシング情報格納部１２０に蓄積して使用する。それにより、ロードプライシング情報格納部１２０に既に格納されたロードプライシング情報を表示装置１０６に表示するときには、新たにロードプライシング情報サーバ１５０にアクセスしてダウンロードすることなく、ロードプライシング情報格納部１２０から抽出して表示することができるので、ロードプライシング情報の表示速度が向上する。また、課金料金や課金時間帯などのロードプライシング情報は比較的頻繁に変更されることが予想されるが、ロードプライシング情報格納部１２０に格納されたロードプライシング情報を更新するためのロードプライシング更新情報を通信装置１１１を介してロードプライシング情報サーバ１５０から取得するようにしてもよい。
【００２７】
次に、上記のように構成されたナビゲーション装置１００の動作について以下に説明する。尚、ナビゲーション装置１００ａの動作も、ロードプライシング情報をサーバ１５０から取得する以外は同じである。
【００２８】
図３は、本発明のナビゲーション装置１００の動作中における表示装置１０６の表示画面の一例を示す模式図であって、目的地を設定しておらず、車両２００は、道路地図上に於いて、その進行方向を示す矢印で示されている。図３に示すように、画面に表示されている地域に含まれる課金エリア２０１が制御装置１０９によってロードプライシング情報から抽出され課金エリアの名称とともに地図上に表示されている。図示した例では、課金エリア２０１はその全体が網掛け表示されているが、課金エリア２０１の境界線を表示したり、課金エリア２０１の色を周囲と異なる色としたり、課金エリア２０１を点滅表示したりすることができる。
【００２９】
また制御装置１０９の第１の課金エリア判断手段１０９ａは、車両２００の位置とロードプライシング情報とに基づいて、車両２００の進行方向に課金エリア２０１があるか否かを判断する。第１の課金エリア判断手段１０９ａによって車両２００の進行方向に課金エリア２０１があると判断された場合には、制御装置１０９は課金エリア２０１があることを表示装置１０６の画面の一部（メッセージ表示部）２０２に表示するとともに、音声案内装置１０８を介してユーザに通知する。課金エリア２０１の料金（課金料金）及び名称も併せて表示及び音声通知する。第１の課金エリア判断手段１０９ａは、車両２００が走行している道路の道なりに課金エリア２０１が位置し、その課金エリア２０１に車両２００が所定の距離まで近づいたとき、車両２００の進行方向に課金エリア２０１があると判断する。
【００３０】
課金エリア２０１に課金時間帯が設定されている場合、制御装置１０９は車両２００の課金エリア２０１への進入予想時刻を算出し、進入予想時刻が課金エリア２０１の課金時間帯外になる場合は、第１の課金エリア判断手段１０９ａによって車両２００の進行方向に課金エリア２０１があると判断された場合でも、課金エリア２０１の表示及び音声による案内を行わない、または、進入予想時刻が課金エリア２０１の課金時間帯外になることをユーザに表示及び音声で通知する。進入予想時刻の算出は、ナビゲーション装置１００に予め設定された、例えば、４０ｋｍ／ｈや６０ｋｍ／ｈという標準的な車速に基づいて行う。ナビゲーション装置１００に設定された速度よりも車両の実速度が速い場合は、課金エリア２０１まで到達する時間が短縮されるため、課金時間帯内に課金エリア２０１に進入する可能性が生じたときに表示及び音声でユーザに通知する。
【００３１】
課金エリア２０１の例外規定として、車両２００が課金エリア２０１に進入して一旦料金を支払えば、所定時間内であれば、課金エリアの出入りを複数回繰り返しても、新たに課金されないものがある。また、課金エリア２０１内に自宅登録がある場合も、通常、ユーザに対する課金が免除される。制御装置１０９は、第１の課金エリア判断手段１０９ａによって車両２００の進行方向に課金エリア２０１があると判断された場合、課金エリア２０１に進入しても例外規定に該当して課金が免除されるか否かを判断し、課金が免除される場合は、課金エリア２０１の表示及び音声による案内を行わない（即ち、その課金エリア２０１は課金エリアでないものと見なす）、または、課金エリア２０１による課金が免除されることをユーザに表示及び音声で通知する。
【００３２】
また図３に示した実施例では、表示画面の一部に、詳細情報表示ボタン（アイコン）２０３が設けられている。詳細情報表示ボタン２０３をユーザがタッチすると、制御装置１０９は、課金エリア２０１の課金時間帯情報、例外規定などのより詳しい属性をロードプライシング情報から抽出して、メッセージ表示部２０２内に表示する。
【００３３】
当該車両２００が課金エリア２０１に進入した時は課金時間帯外であっても、そのまま課金エリア２０１内に滞在していると、やがて課金時間となり、その時点で課金される可能性がある。そこで、図４に示すように、ナビゲーション装置１００は、車両２００が課金エリア２０１に進入した際に、課金エリア内であること、課金開始時刻及び課金料金を、表示装置１０６への表示及び音声案内装置１１０による音声通知を通じてユーザに通知する。また非課金時間帯に課金エリア２０１へ進入した後、制御装置１０９は車両２００の位置及び速度などから車両２００の課金エリア２０１からの離脱予想時刻を算出し、課金時間が開始される前に課金エリア２０１を離脱することが困難であると予想される場合、表示及び音声によりユーザに警告する。課金エリア２０１に料金を払って進入した場合も、料金支払いにより課金が免除される期間（課金有効期間）を過ぎると、その時点で課金されるため、同様の警告を行う。
【００３４】
図５は、ナビゲーション装置１００において目的地及び経路を設定する際の制御装置１０９の制御動作の例を表すフロー図である。図６は、目的地及び経路設定における表示画面の例を示す模式図である。目的地設定画面上でユーザが入力装置１０７を介して目的地を入力すると（ステップ１）、制御装置１０９の第３の課金エリア判断手段１０９ｃはロードプライシング情報格納部１２０に格納されたロードプライシング情報に基づいて、入力された目的地が課金エリア内にあるか否かを判断する（ステップ２）。目的地が課金エリア内にないと判断された場合、制御装置１０９はスタート地点（通常、現在地）から目的地までの経路を算出し、図６に示すように画面上に強調表示する（ステップ３）。図６において、スタート地点はＡ、目的地はＢ、経路は２０４で示されている。続いて制御装置１０９の第２の課金エリア判断手段１０９ｂは算出した経路２０４上に、課金エリアがあるか否かをロードプライシング情報に基づいて判断する（ステップ４）。算出した経路２０４上に課金エリアがないと判断された場合、経路２０４を案内経路として設定する（ステップ９）。一方、図６に示すように、経路２０４上に課金エリア２０１が位置する場合は、画面表示及び音声通知により課金エリア２０１に関する情報をユーザに通知し（ステップ５）、迂回経路の探索をするか否かをユーザに問い合わせる（ステップ６）。この問い合わせは、図６に示すように、表示画面にウィンドウ２０５を表示するとともに適切な音声案内をすることで行う。課金エリア２０１を通過する（即ち、迂回経路の探索をしない）ことが選択された場合には、そのまま案内経路が最終的に設定される。迂回経路の探索を選択した場合には、制御装置１０９は、課金エリア２０１を迂回する最短経路を算出してそれを画面上に提示し（ステップ７）、ユーザに対してそれを受け入れるか否かを尋ねる（ステップ８）。ユーザが迂回経路を受け入れれば、迂回経路が案内経路として最終的に設定される（ステップ９）。迂回経路を受け入れないことが選択された場合は、再び迂回経路の探索をするか否かをユーザに尋ねるステップ６に戻る。
【００３５】
この場合も、課金エリア２０１の例外規定及び課金時間帯情報を考慮して案内経路を設定することができる。図７に課金エリアの例外規定及び課金時間帯情報を考慮して案内経路を設定するための制御動作の実施例を表すフロー図を示す。ステップ４で経路２０４上に課金エリア２０１があると判断された場合、制御装置１０９はステップ２１で課金エリア２０１への進入予想時刻を算出し、ステップ２２で進入予想時刻が課金エリア２０１の課金時間帯外か否かを判断する。課金時間帯外に課金エリア２０１に進入すると判断された場合には、課金エリア２０１を課金エリアと見なさず、迂回経路を選択するステップを経ることなくステップ９へ進み算出した経路２０４を案内経路として設定する。課金エリア２０１への進入予想時刻が課金時間帯内になると判断された場合、ステップ２３で課金エリア２０１の例外規定（例えば、既に課金エリアに進入して課金され、課金免除期間内に新たに進入した場合や目的地が自宅の場合）に該当するか否かを判断する。課金エリア２０１の例外規定に該当する場合、迂回経路を選択するステップを省略してステップ９へ進み算出した経路２０４を案内経路として設定する。例外規定に該当しない場合はステップ５に進み課金エリア２０１がある旨の案内を行った後、上記したようにユーザの指示に応じて迂回経路算出を行う。
【００３６】
再度図５を参照すると、ステップ２で目的地Ｂが課金エリア２０１内にあると判断された場合、制御装置１０９は、目的地Ｂへの到着予想時刻を算出し（ステップ１１）、到着予想時刻が課金エリア２０１の課金時間帯内か否かを判断する（ステップ１２）。到着予想時刻が課金エリア２０１の課金時間帯内であると判断された場合、図８に示すように制御装置１０９は、目的地Ｂが課金エリア２０１内にあること、到着予想時刻が課金時間帯内となる可能性があること、及び課金料金をメッセージ表示部２０２に表示するとともに音声によってユーザに通知する（ステップ１３）。また、目的地Ｂを変更するか否かをユーザに尋ねる（ステップ１４）。これは図６に示したのと同様のウィンドウ２０５を画面内に表示するとともに適切な音声案内をすることで行う。目的地Ｂの変更がユーザにより選択された場合、ステップ１に戻りユーザによる目的地の入力が再度なされる。ここでユーザが、図８の目的地Ｂに近接した課金エリア２０１外の地点Ｃを新たな目的地として入力すると、ステップ３で目的地Ｃまでの経路２０４が算出され表示される。ステップ１２で到着予想時刻が課金エリア２０１の非課金時間帯であると判断された場合は、課金エリア２０１を課金エリアと見なさず、ステップ３へ進み入力されている目的地（目的地Ｂ）に対して経路の算出及び表示を行う。また、ステップ１４で目的地の変更が選択されなかった場合も、ステップ３へ進み入力されている目的地に対して経路の算出及び表示を行う。
【００３７】
図９は、図５のステップ２で、目的地が課金エリア２０１内にあると判断された場合の制御動作の別の実施の形態を表すフロー図である。この実施例では、目的地Ｂが課金エリア２０１内にあると判断された場合、制御装置１０９は、本来の目的地Ｂに代えて、課金エリア２０１の境界外の、本来の目的地Ｂに比較的近い駐車場Ｐを抽出して表示するとともに（ステップ３１）、抽出した駐車場Ｐを新たな目的地とするか否か画面表示及び音声通知によりユーザに問い合わせる（ステップ３２）。ステップ３２で、駐車場Ｐを新たな目的地として設定することをユーザが選択した場合、制御装置１０９は、目的地を駐車場Ｐに変更し（ステップ３３）、ステップ３へ進んで経路の算出及び表示を行う。図１０は、駐車場Ｐまでの経路２０４を表示した状態を示している。車両２００が、このような駐車場Ｐに到達したときには、ユーザは、車両２００をこの駐車場Ｐに駐車し、バスなどの公共交通機関により本来の目的地Ｂに向かうことができる。ステップ３１における駐車場Ｐの抽出に際しては、公共交通機関の利用も含めた現在位置Ａから目的地Ｂまでの所要時間、公共交通機関の料金及び駐車場の空きを考慮する。目的地周辺の駐車場の空き状態を示す空車情報はＶＩＣＳ等から送信される道路交通情報の一つであり、制御装置１０９に接続された図示しない通信装置を介して受信される。尚、ナビゲーション装置がロードプライシング情報サーバ１５０からデータを取得するための通信装置１１１を有している場合、この通信装置１１１を空車情報の取得に用いてもよい。
【００３８】
ナビゲーション装置１００の検索機能を利用して目的地を設定する場合がある。その際には、目的地が課金エリア内である否かに応じて目的地を設定することができる。図１１は、例として車両２００の現在位置近辺のガソリンスタンドをナビゲーション装置１００の検索機能を利用して目的地設定するための表示画面を示している。図示した例では、目的地候補としてガソリンスタンド１〜５がリスト表示されている。また設定画面内に、課金エリア外ボタン（アイコン）２１０が設けられ、そこにユーザがタッチした場合、制御装置１０９は課金エリア外のガソリンスタンドのみを選択可能とする。例えばガソリンスタンド３が課金エリア内の場合、ガソリンスタンド３を非表示とし、選択不能とする。別の方法として、ガソリンスタンド、コンビニ等、比較的問題なく代替可能な目的地については、デフォールトでは課金エリア内のものは選択不能としてもよい。この場合も、目的地が課金エリア内であっても、非課金時間帯であったり、例外規定が適用される場合には、目的地は課金エリア外であるものとみなし、自由に選択し得るようにする。
【００３９】
図１２は、本発明のナビゲーション装置１００の目的地選択画面の別の例を示す模式図である。ここでも、図１１の例と同様に車両２００の現在位置近辺のガソリンスタンドを目的地として設定する場合を想定している。この例では目的地候補となるガソリンスタンドＧ１〜Ｇ５を地図上に表示している。図１１の例と同様に、地図上に表示される目的地候補（ガソリンスタンドＧ１〜Ｇ５）の中に課金エリア２０１内のものがある場合（この例ではガソリンスタンドＧ３）、画面内に表示された課金エリア外ボタン２１０をユーザがタッチすると、課金エリア２０１外のガソリンスタンドＧ１、Ｇ２、Ｇ４、Ｇ５のみが選択可能となる。その際、課金エリア２０１内のガソリンスタンドＧ３は非表示若しくは選択不能であることがユーザにわかる表示（例えば点線表示）とする。
【００４０】
本発明を実施例に基づいて詳細に説明したが、上記実施例はあくまでも例示であって本発明は実施例によって限定されるものではない。当業者であれば特許請求の範囲によって定められる本発明の技術的思想を逸脱することなく様々な変形若しくは変更が可能であることは言うまでもない。例えば、上記実施例の２以上を組み合わせて実施することも可能である。
【産業上の利用可能性】
【００４１】
以上述べたように、本発明によれば、ユーザが課金エリアを容易に且つ確実に認識することを可能とするナビゲーション装置が提供される。
【図面の簡単な説明】
【００４２】
【図１】本発明に基づくナビゲーション装置の実施の形態を示すブロック図。
【図２】本発明に基づくナビゲーション装置の別の実施の形態を示すブロック図。
【図３】本発明のナビゲーション装置の動作中における表示装置の表示画面の一例を示す模式図。
【図４】本発明のナビゲーション装置の動作中における表示装置の表示画面の別の例を示す模式図。
【図５】本発明のナビゲーション装置の目的地及び経路設定における制御動作の例を表すフロー図。
【図６】目的地及び経路設定における表示画面の例を示す模式図。
【図７】課金エリアの例外規定及び課金時間帯情報を考慮して案内経路を設定するための制御動作の例を表すフロー図。
【図８】目的地及び経路設定における表示画面の別の例を示す模式図。
【図９】目的地が課金エリア内にあると判断された場合の制御動作の別の例を表すフロー図。
【図１０】図９のフロー図に従って表示される表示画面の例を示す模式図。
【図１１】本発明のナビゲーション装置の目的地選択画面の例を示す模式図。
【図１２】本発明のナビゲーション装置の目的地選択画面の別の例を示す模式図。
【符号の説明】
【００４３】
１００、１００ａ  ナビゲーション装置
１０１  ＧＰＳセンサ
１０２  ジャイロセンサ
１０３  車速センサ
１０５  地図情報格納部
１０６  表示装置
１０７  入力装置
１０８  メモリ
１０９  制御装置
１０９ａ〜１０９ｃ  第１〜第３の課金エリア判断手段
１１０  音声案内装置
１１１  通信装置
１２０  ロードプライシング情報格納部
１５０  ロードプライシング情報サーバ
２００  車両
２０１  課金エリア
２０２  メッセージ表示部
２０３  詳細情報表示ボタン
２０４  経路
２０５  ウィンドウ
２１０  ボタン（アイコン）
Ｐ  駐車場
Ｇ１〜Ｇ５  ガソリンスタンド